(57)【要約】【課題】  表示の尖鋭度を低下させることなく、プリズムシート１を用いて光路を所定の方向に屈折させて省スペースな装置にできる車両用表示器を提供すること。【解決手段】  ＬＣＤ２より投影される像を複数のプリズム列１１を有するフレネルタイプのプリズムシート１で光路を所定の角度に屈折させてフロントウィンドウ９に虚像で表示する車両用表示器において、プリズムシート１の光路屈折方向以外への光路の進行を制限するよう光非通過面１１２を設けた。【選択図】        図１
2005084172.tif 000002
【特許請求の範囲】
【請求項１】
表示器より投影される像を複数のプリズム列を有するフレネルタイプのプリズムシートで光路を所定の角度に屈折させて透過性部材に虚像で表示する車両用表示器において、
プリズムシートの光路屈折方向以外への光路の進行を制限する光路制限手段を設けたことを特徴とする車両用表示器。
【請求項２】
請求項１に記載された車両用表示器において、
光路制限手段が、プリズムシートのプリズム列部分の垂直面を光が通過できないようにすることを特徴とする車両用表示器。
【請求項３】
請求項１に記載された車両用表示器において、
光路制限手段が、光を通過させない光非通過板をプリズムシートの隣り合うプリズム列の境目に沿って上下に幅を持つようにプリズムシートの内部に設けたものであることを特徴とする車両用表示器。
【請求項４】
請求項１に記載された車両用表示器において、
光路制限手段が、光を通過させない光非通過板で内部をプリズムシートのプリズム列に対応するように仕切ったルーバをプリズムシートプリズム面と反対の面に取り付けるようにしたことを特徴とする車両用表示器。
【発明の詳細な説明】
【技術分野】
【０００１】
本発明は、プリズムシートを使用して省スペースな構成にできる車両用表示器の技術分野に属する。
【背景技術】
【０００２】
従来の車両用表示器は、フルネルタイプのプリズムを使用して光路を屈折して鏡を使用することなくフロントガラスに像を投影している。（例えば、特許文献１参照。）。
【特許文献１】特開平５−８６６１号公報（第１−３頁、第３図）
【発明の開示】
【発明が解決しようとする課題】
【０００３】
しかしながら、従来の車両用表示器にあっては、フレネルタイプのプリズムシートでは、図５に示すように、本来の光路Ａに加えて、光路Ａ１や光路Ａ２によるゴースト表示が発生し表示の尖鋭度の低下を招いていた。
【０００４】
本発明は、上記問題点に着目してなされたもので、その目的とするところは、表示の尖鋭度を低下させることなく、プリズムシートを用いて光路を所定の方向に屈折させて省スペースな装置にできる車両用表示器を提供することにある。
【課題を解決するための手段】
【０００５】
上記目的を達成するため、請求項１記載の発明では、表示器より投影される像を複数のプリズム列を有するフレネルタイプのプリズムシートで光路を所定の角度に屈折させて透過性部材に虚像で表示する車両用表示器において、プリズムシートの光路屈折方向以外への光路の進行を制限する光路制限手段を設けたことを特徴とする手段とした。
【０００６】
請求項２記載の発明では、光路制限手段が、プリズムシートのプリズム列部分の垂直面を光が通過できないようにすることを特徴とする手段とした。
【０００７】
請求項３記載の発明では、光路制限手段が、光を通過させない光非通過板をプリズムシートの隣り合うプリズム列の境目に沿って上下に幅を持つようにプリズムシートの内部に設けたものであることを特徴とする手段とした。
【０００８】
請求項４記載の発明では、光路制限手段が、光を通過させない光非通過板で内部をプリズムシートのプリズム列に対応するように仕切ったルーバをプリズムシートプリズム面と反対の面に取り付けるようにしたことを特徴とする手段とした。
【発明の作用と効果】
【０００９】
請求項１記載の発明では、光路制限手段によって、プリズム列による所定の屈折角度以外への光の屈折を制限する。よって、表示器から投影される像は所定の角度で屈折して透過性部材に虚像で表示される。よって、プリズムシートを通過する際に所定の角度以外で屈折することがないため、ゴースト表示が発生しない。このため、透過性部材での虚像による表示は尖鋭度が向上する。この表示は平板状のプリズムシートで行なえるので省スペースな装置にできる。
【００１０】
請求項２記載の発明では、光路制限手段が、プリズムシートのプリズム列部分の垂直面を光が通過できないようにするため、表示器から投影される光がプリズムシートの内部を通過する際にプリズム列の傾斜部分から光が発するようにし、傾斜部分と傾斜部分の間となる垂直面から光が発しないようにすることで所定の角度で屈折してゴースト表示を確実に防ぐようにして尖鋭な画像を表示できる。
【００１１】
請求項３記載の発明では、光路制限手段が、光を通過させない光非通過板をプリズムシートの隣り合うプリズム列の境目に沿って上下に幅を持つようにプリズムシートの内部に設けたものであるため、プリズムシートの内部を通過する表示器からの光が、直進的にプリズム列に向かうものは、通過し、直進的にプリズム列に向かうもの以外は光非通過板によって遮られることとなる。よって、プリズムシートの内部を直進的にプリズム列に向かう光がプリズム列により所定の角度で屈折してゴースト表示を発生しない尖鋭な画像を確実に表示できる。
【００１２】
請求項４記載の発明では、光路制限手段が、光を通過させない光非通過板で内部をプリズムシートのプリズム列に対応するように仕切ったルーバをプリズムシートプリズム面と反対の面に取り付けるようにしたため、表示器からプリズムシートに向かって投影される光は、ルーバ内を通過することになる。ルーバ内部には、プリズムシートのプリズム列に対応するように光非通過板で仕切られているため、ルーバ内部を直線的にプリズム列に向かう光以外は光非通過板で遮られることとなる。よって、プリズムシートから発せられる光は所定の角度で屈折したものとなるため、ゴースト表示を発生しない尖鋭な画像を確実に表示できる。
【発明を実施するための最良の形態】
【００１３】
以下、本発明の車両用表示器を実現する実施の形態を、請求項１，２に係る発明に対応する第１実施例と、請求項１，３に係る発明に対応する第２実施例と、請求項１，４に係る発明に対応する第３実施例とに基づいて説明する。
【００１４】
（第１実施例）
【００１５】
まず、構成を説明する。
図１，２は第１実施例の車両用表示器を示す説明図である。
図１，２における主要符号を説明すると、１はプリズムシート、１１はプリズム列、１１１はプリズム列の傾斜面、１１２はプリズム列の垂直面、１１３は光非通過面（光路制限手段）、２はＬＣＤ、３はインストルメントパネル、４はダッシュアッパ、５はドライバーの目、６は表示禁止ゾーン、７１は所定の屈折角でプリズムシートを通過する光路、７２はプリズムシートを通過しない光路、８は表示像、９はフロントウィンドウ（透過性部材）である。
【００１６】
第１実施例では、図２に示すように、インストルメントパネル３のドライバーから奥側となる一部を開口するようにし、その下方に配置されるダッシュアッパ４上に表示像８を斜め上方に向かって投影するＬＣＤ２を設ける。さらに、このＬＣＤ２の上方にプリズムシート１を設ける。
プリズムシート１は、光を通過させる材質であり、図１に示すように下面が平面状であり、上面には、垂直面と傾斜面１１１で直角三角形状の断面形状を構成するプリズム列１１を複数設けて、全体で丸みのあるレンズと同様の屈折をさせるフレネルタイプのプリズムシート１を構成する。
さらに実施例１では、図１に示すようにプリズムシート１のプリズム列１１の垂直面１１２に光を通過させない樹脂を塗布するようにして光を通過させない部分を構成して光非通過面１１３を構成している。
【００１７】
次に、作用を説明する。
【００１８】
［尖鋭度の向上作用］
第１実施例において、フロントウィンドウ９に像を表示するには、ＬＣＤ２から像をプリズムシート１の下面に向かって投影させる。この際には、図１に示すように、ＬＣＤ２の一部を見ると、その位置に対応するプリズムシート１のプリズム列１１に真っ直ぐに向かう光と、他のプリズム列１１に向かう光が存在する。
この光を図５に示すように他のプリズム列１１が通過させてしまうと、同じ像がその分、ずれた位置に複数表示され尖鋭度のない像となる。
【００１９】
これに対し、第１実施例では、他のプリズム列１１を通過して同様な屈折をしようとする光７２が、プリズム列１１の垂直面に設けた光非通過面１１２で遮られることとなる。よって、プリズムシート１を通過できる光は、図１に示すようにＬＣＤ２の投影する位置に対応したプリズム列１１の傾斜面１１１へ真っ直ぐに向かう光７１となる。このように光の通路が制限されたことによって、フロントウィンドウ９に表示される像は複数の像が表示されて像がぼやけるゴースト像を生じなくなり、先鋭な像が表示されることとなる。
【００２０】
［省スペース作用］
第１実施例では、インストルメントパネル３の奥側の位置で、ダッシュアッパ４上にＬＣＤ２とプリズムシート１を配置して、インストルメントパネル３の下部スペースを占有しないようにして省スペースにしている。
プリズムシート１による屈折をさせない場合では、図６に示すようにＬＣＤ２からフロントウィンドウ９に投影して表示させた像が、安全な運転のために確保すべき表示禁止ゾーン６に一部表示されてしまうことになるため、実際にはこのように省スペースにはできないことになる。第１実施例では、プリズムシート１によりＬＣＤ２から投影される光を所定の角度に屈折させることにより、このような配置のレイアウトをとることができ、省スペースとなる。
また、プリズムシート１は複数のプリズム列１１による屈折によるため、全体がシート状で大きな膨らみのための厚みを有しないため、さらに省スペースとなる。
【００２１】
次に、効果を説明する。
【００２２】
第１実施例の車両用表示器にあっては、下記に列挙する効果を得ることができる。
【００２３】
(1)ＬＣＤ２より投影される像を複数のプリズム列１１を有するフレネルタイプのプリズムシート１で光路を所定の角度に屈折させてフロントウィンドウ９に虚像で表示する車両用表示器において、プリズムシート１の光路屈折方向以外への光路の進行を制限するよう光非通過面１１２を設けたため、表示の尖鋭度を向上でき、省スペースな装置にできる。
【００２４】
(2)光路制限手段が、プリズムシート１のプリズム列１１部分の垂直面を光が通過できないようにするため、ゴースト表示を確実に防ぐようにして尖鋭な画像を表示できる。
【００２５】
（第２実施例）
【００２６】
第２実施例は、プリズムシート１の内部に光非通過板を設けた例である。
図３中、２０は光非通過板である。
【００２７】
すなわち、図３に示すように、プリズムシート１のプリズム列１１の境目となる部分でプリズムシート１の内部を仕切るように、プリズム列１１の垂直面に沿うように光非通過板２０を設ける。この光非通過板２０はプリズムシート１の下面から内部に向かうように伸びた形状にする。なお、他の構成は第１実施例と同様であるので、説明を省略する。
【００２８】
次に、作用を説明する。
【００２９】
［尖鋭度の向上作用］
第２実施例では、図３に示すようにＬＣＤ２から像を投影する際に、その位置に対応するプリズム列１１に向かう光は、プリズム列１１の傾斜面１１１から所定の屈折でプリズムシート１を通過する。ＬＣＤ２のある位置から、その位置に対応したプリズム列１１ではなく、他のプリズム列１１に向かう光は、プリズムシート１の下端に進入後、光非通過板２０により遮られる。よって、ＬＣＤ２からの光が他のプリズム列１１を通らず、所定のプリズム列１１で屈折され表示されるため、ゴースト表示がなくなる。
【００３０】
次に、効果を説明する。
【００３１】
この第２実施例の車両用表示器にあっては、第１実施例の(1),(2)の効果に加え、下記の効果を得ることができる。
【００３２】
(3)光路制限手段が、光を通過させない光非通過板２０をプリズムシート１の隣り合うプリズム列１１の境目に沿って上下に幅を持つようにプリズムシート１の内部に設けたものであるため、ゴースト表示を発生しない尖鋭な画像を確実に表示できる。
【００３３】
（第３実施例）
【００３４】
第３実施例は、ルーバを用いた例である。
図４中、３０はルーバ、３１は光非通過板である。
【００３５】
すなわち、図４に示すように、プリズムシート１を比較的に薄く構成し、プリズムシート１とＬＣＤ２の間、すなわちプリズムシート１の下面にルーバ３０を取り付けるようにする。ルーバ３０は光を通過させる部材であり、その内部は、その上方に配置されるプリズムシート１のプリズム列１１に対応した部分ごとに光非通過板３１で仕切るようにする。なお、他の構成は第１実施例と同様であるので、説明を省略する。
【００３６】
次に、作用を説明する。
【００３７】
［尖鋭度の向上作用］
第３実施例では、ＬＣＤ２のある位置から投影される光はルーバ３０に対応するように光非通過板３１で仕切られているので、ＬＣＤ２のある位置から、その位置に対応するプリズム列１１とは別のプリズム列１１に向かう光は、ルーバ３０内部の光非通過板に遮られることとなる。よって、ＬＣＤ２からの光が他のプリズム列１１を通らず、所定のプリズム列１１で屈折され表示されるため、ゴースト表示がなくなる。
【００３８】
次に、効果を説明する。
【００３９】
この第３実施例の車両用表示器にあっては、第１実施例の(1),(2)の効果に加え、下記の効果を得ることができる。
【００４０】
(4)光路制限手段が、光を通過させない光非通過板で内部をプリズムシート１のプリズム列１１に対応するように仕切ったルーバ３０をプリズムシート１のプリズム面と反対の面に取り付けるようにしたため、ゴースト表示を発生しない尖鋭な画像を確実に表示できる。
【００４１】
以上、本発明の車両用表示器を第１実施例〜第３実施例に基づき説明してきたが、具体的な構成については、これらの実施例に限られるものではなく、特許請求の範囲の各請求項に係る発明の要旨を逸脱しない限り、設計の変更や追加等は許容される。
【００４２】
例えば、第１実施例では、透過性部材としてフロントウィンドウ９を示したが、別に表示させる部材を設けるようにしてもよい。
また、第１実施例〜第３実施例では、プリズム列１１に対応して光を制限したが、例えば光非通過部材を格子状やハニカム状に設けて光の通過する方向を制限してもよい。
【図面の簡単な説明】
【００４３】
【図１】第１実施例の車両用表示器を示す説明図である。
【図２】第１実施例の車両用表示器を示す説明図である。
【図３】第２実施例の車両用表示器を示す説明図である。
【図４】第３実施例の車両用表示器を示す説明図である。
【図５】従来の車両用表示器を示す説明図である。
【図６】従来の車両用表示器を示す説明図である。
【符号の説明】
【００４４】
１  プリズムシート
１１  プリズム列
１１１  プリズム列の傾斜面
１１２  プリズム列の垂直面である光非通過面
２  ＬＣＤ
３  インストルメントパネル
４  ダッシュアッパ
５  ドライバーの目
６  表示禁止ゾーン
７１  所定の屈折角でプリズムシートを通過する光路
７２  プリズムシートを通過しない光路
８  表示像
９  フロントウィンドウ
２０  光非通過板
３０  ルーバ
３１  光非通過板
【図１】
2005084172.tif 000003
【図２】
2005084172.tif 000004
【図３】
2005084172.tif 000005
【図４】
2005084172.tif 000006
【図５】
2005084172.tif 000007
【図６】
2005084172.tif 000008